(57)【要約】【課題】特別な加工を施すことなく、内容物のボトルへの詰替作業を簡単かつ確実に行なえる詰替パウチを提供する。【解決手段】重なり合うシート１を周縁に沿ったシール部３で貼り合わせ、シール部３の内側に内容物の収容空間５を形成し、シート１の上部一側に収容空間５が張り出すようにシール部３を湾曲させて注出口部６を設け、注出口部６でシート１を切断して、注出口部６を開口させる詰替パウチにおいて、前記注出口部６の上縁を形成するシール部７の内縁に、収容空間５の上端側のシール部８から傾斜が変わる肩部９を介し、注出口部６の先端側へかけて斜め外下方へ傾斜した注出誘導縁１０を形成する。内容物をボトルに注ぐ際、内容物がシール部８から肩部９でスムーズに方向を変え、注出誘導縁１０に沿って注出口部６の中心方向へ集まり、注出口部６の軸線に沿ってボトルに注ぎ込まれる。【選択図】図２
2010013150.tif 000002
【特許請求の範囲】
【請求項１】
重なり合うシート(1)を周縁に沿ったシール部(3)で貼り合わせ、シール部(3)の内側に内容物の収容空間(5)を形成し、シート(1)の上部一側に収容空間(5)が張り出すようにシール部(3)を湾曲させて注出口部(6)を設け、注出口部(6)でシート(1)を切断して、注出口部(6)を開口させる詰替パウチにおいて、
前記注出口部(6)の上縁を形成するシール部(7)の内縁に、収容空間(5)の上端側のシール部(8)から傾斜が変わる肩部(9)を介し、注出口部(6)の先端側へかけて斜め外下方へ傾斜した注出誘導縁(10)を形成したことを特徴とする詰替パウチ。
【請求項２】
前記注出口部(6)の下方に、シート(1)の両側縁を括れさせて、把持用の括れ部(12)を設けたことを特徴とする請求項１に記載の詰替パウチ。
【発明の詳細な説明】
【技術分野】
【０００１】
この発明は、詰替用のシャンプー、液体洗剤等を収容するパウチに関するものである。
【背景技術】
【０００２】
従来、下記特許文献１には、図６に示すように、長方形状の重なり合うシート５１を周縁に沿ったシール部５２で貼り合わせて収容空間５３を形成し、シート５１の上部一側にシール部５２を湾曲させて注出口部５４を設け、注出口部５４に切目線５５を入れた詰替パウチが記載されている。
【０００３】
前記注出口部５４の上縁を形成するシール部５６の内縁は、シート５１の上端から垂下するシール部５７の下端部を起点として、斜め外上方へ傾斜したものとされている。
【０００４】
この詰替パウチでは、内容物をボトルに移し替える際、切目線５５沿いにシート５１を切断して、注出口部５４を開口させ、水平方向に傾けると、内容物が前方（底の反対側）へ向けて流出するようになっている。
【０００５】
また、このような詰替パウチのほか、注出口部としてシートに別体のスパウトを取り付けたり、中空管を挿入する加工、注出口部に溝を形成するエンボス加工等を施して、内容物を注出しやすくした詰替パウチが知られている。
【０００６】
【特許文献１】特開２００８−８１１４４号公報
【発明の開示】
【発明が解決しようとする課題】
【０００７】
しかしながら、上記特許文献１に記載されたような詰替パウチでは、内容物をボトルに注ぐ際、内容物がボトルから逸れて飛び出すおそれがあり、特別な加工を施す詰替パウチでは、製造コストがかかるという問題がある。また、内容物を完全にボトルに移し替えることができず、内容物が詰替パウチに残存して無駄が生じることもある。
【０００８】
そこで、この発明は、特別な加工を施すことなく、内容物のボトルへの詰替作業を簡単かつ確実に行なえる詰替パウチを提供することを課題とする。
【課題を解決するための手段】
【０００９】
上記のような課題を解決するため、この発明は、重なり合うシートを周縁に沿ったシール部で貼り合わせ、シール部の内側に内容物の収容空間を形成し、シートの上部一側に収容空間が張り出すようにシール部を湾曲させて注出口部を設け、注出口部でシートを切断することにより、注出口部を開口させ、注出口部から内容物を注出する詰替パウチにおいて、前記注出口部の上縁を形成するシール部の内縁に、収容空間の上端側のシール部から傾斜が変わる肩部を介し、注出口部の先端側へかけて斜め外下方へ傾斜した注出誘導縁を形成したのである。
【００１０】
また、前記注出口部の下方に、シートの両側縁を括れさせて、把持用の括れ部を設けることにより、片手で握って内容物の移し替えを行なえるようにしたのである。
【発明の効果】
【００１１】
この発明に係る詰替パウチでは、注出口部を開口させて水平方向に傾け、内容物をボトルに注ぐ際、内容物が肩部でスムーズに方向を変え、注出誘導縁に沿って注出口部の中心方向へ向かい、注出口部の軸線に沿ってボトルに注ぎ込まれるので、スパウト等を設けなくても、片手で握った状態で、内容物を溢すことなく、ボトルに簡単かつ確実に移し替えることができ、内容物の残存量を極力減らすことができる。
【発明を実施するための最良の形態】
【００１２】
以下、この発明の実施形態を添付図面に基づいて説明する。
【００１３】
図１は、この発明に係る詰替パウチの内容物を充填する前の状態を示す。この詰替パウチは、重なり合うシート１を下部に山折りにしたシート２を挟んだ状態で、両側縁及び下縁に沿ったシール部３，４で貼り合わせ、シール部３，４の内側に内容物の収容空間５を形成したものとされている。
【００１４】
シート１の上部一側には、収容空間５が張り出すようにシール部３を湾曲させて、内部が先細りとなる注出口部６が設けられている。
【００１５】
注出口部６の上縁を形成するシール部７の内縁には、収容空間５の上端側のシール部８から傾斜が変わる肩部９を介し、注出口部６の先端側へかけて斜め外下方へ傾斜した注出誘導縁１０が形成されている。
【００１６】
注出口部６の上方のシール部７には、摘み片７ａが設けられると共に、注出誘導縁１０に沿って切目線１１が入れられている。
【００１７】
切目線１１の下端部には、曲部を経て下方へ向かう切断誘導部１１ａが設けられ、切目線１１の上部には、流通過程での不意の破断を防止する繋部１１ｂが設けられている。
【００１８】
また、注出口部６の下方には、シート１の両側縁を括れさせて、把持用の括れ部１２が設けられている。
【００１９】
上記のような詰替パウチは、上端が開口した状態で、シャンプーや液体洗剤等の内容物が収容空間５に充填され、図２に示すように、シート１を上縁に沿ったシール部１３で貼り合わせることにより封緘された状態で、小売店へ出荷される。
【００２０】
一方、この詰替パウチの内容物を消費者がボトルに移し替える際には、図３に示すように、摘み片７ａを捻るようにして、繋部１１ｂを切断し、切断誘導部１１ａの延長線に沿ってシート１を切断することにより、図４に示すように、注出口部６を開口させる。
【００２１】
そして、図５に示すように、詰替パウチを水平方向へ傾け、注出口部６の開口部をボトルＢの開口部に挿入し、括れ部１２を握ると、収容空間５が絞られて、収容空間５の内容物がボトルＢに移し替えられる。
【００２２】
このとき、内容物がシール部８から肩部９でスムーズに方向を変え、注出誘導縁１０に沿って、反対側からの流れと集まるように、注出口部６の中心方向へ向かい、注出口部６の軸線に沿ってボトルＢに注ぎ込まれるので、括れ部１２を片手で握った状態で、内容物を溢すことなく、ボトルＢに簡単かつ確実に移し替えることができる。
【００２３】
また、注出口部６付近に内容物が溜まりやすい部分がなく、詰替パウチへの内容物の残存量を極力減らして、無駄を省くことができる。
【００２４】
なお、上記実施形態では、スタンディングパウチを例として説明したが、四方シール等の他の形式のパウチにおいても、注出口部の近傍に同様の構成を採用できる。
【図面の簡単な説明】
【００２５】
【図１】この発明に係る詰替パウチの内容物充填前の状態を示す正面図
【図２】同上の内容物充填後の封緘状態を示す斜視図
【図３】同上の開封過程を示す斜視図
【図４】同上の注出口部が開口した状態を示す断面図
【図５】同上の内容物の移し替え過程を示す断面図
【図６】従来の詰替パウチを示す正面図
【符号の説明】
【００２６】
１，２  シート
３，４  シール部
５  収容空間
６  注出口部
７，８  シール部
７ａ  摘み片
９  肩部
１０  注出誘導縁
１１  切目線
１１ａ  切断誘導部
１１ｂ  繋部
１２  括れ部
１３  シール部
【図１】
2010013150.tif 000003
【図２】
2010013150.tif 000004
【図３】
2010013150.tif 000005
【図４】
2010013150.tif 000006
【図５】
2010013150.tif 000007
【図６】
2010013150.tif 000008